(57)【要約】【課題】端子は、屈折セクションを有し、舌状板部の上側と前端と下側とを覆い、弾性空間により舌状板部の下側から離間するコネクタを提供する。【解決手段】ドッキングコネクタと連接するためのものであり、ドッキングコネクタが複数のドッキング端子を含み、絶縁本体と、端子固定具と、複数の端子と、を含むコネクタにおいて、絶縁本体には、端子規制溝が設けられ、端子固定具は、絶縁本体に組合われ、端子固定部と、舌状板部と、を含み、舌状板部は、端子固定部から延び出し、上側と、前端と、下側と、を有し、複数の端子は、配列方向に沿って配列され、各端子には、連接端と、屈折セクションと、規制端と、が順次に設けられ、連接端が端子固定部に固定され、屈折セクションは、舌状板部の上側と前端と下側とを覆い、弾性空間により舌状板部の下側から離間し、規制端が端子規制溝を収容する。【選択図】図４
0003162802.tif 000002
【実用新案登録請求の範囲】
【請求項１】
ドッキングコネクタと連接するためのものであり、前記ドッキングコネクタが複数のドッキング端子を含み、絶縁本体と、端子固定具と、複数の端子と、を含むコネクタにおいて、
前記絶縁本体には、端子規制溝が設けられ、
前記端子固定具は、前記絶縁本体に組合われ、端子固定部と、舌状板部と、を含み、前記舌状板部は、前記端子固定部から延び出し、上側と、前端と、下側と、を有し、
複数の前記端子は、配列方向に沿って配列され、前記各端子には、連接端と、屈折セクションと、規制端と、が順次に設けられ、前記連接端が前記端子固定部に固定され、前記屈折セクションは、前記舌状板部の前記上側と前記前端と前記下側とを覆い、弾性空間により前記舌状板部の前記下側から離間し、前記規制端は、前記端子規制溝を収容し、前記端子規制溝に弾力を加え、
前記ドッキングコネクタに前記コネクタを挿入するときには、前記ドッキング端子が前記端子を押えて前記弾性空間が減少することを特徴とするコネクタ。
【請求項２】
前記連接端と前記屈折セクションの間に埋め込み部が設けられ、前記埋め込み部が前記舌状板部の前記上側に埋め込まれることを特徴とする、請求項１に記載のコネクタ。
【請求項３】
前記ドッキングコネクタに前記コネクタを挿入するときには、前記ドッキング端子が前記端子を押さえて前記弾性空間が減少し、前記屈折セクションの一部が前記舌状板部の前記下側と接触することを特徴とする、請求項１に記載のコネクタ。
【請求項４】
前記屈折セクションと前記規制端の間に突出部が設けられ、前記突出部が前記舌状板部の前記下側へ突出することを特徴とする、請求項１に記載のコネクタ。
【請求項５】
前記舌状板の前記下側に溝が設けられ、前記突出部が前記溝に対応し、前記ドッキングコネクタに前記コネクタを挿入するときには、前記ドッキング端子が前記端子を押さえて前記弾性空間が減少し、前記突出部が前記溝に当接することを特徴とする、請求項４に記載のコネクタ。
【請求項６】
前記端子固定部は複数の端子貫通孔を含み、これらの前記端子貫通孔は、配列方向に沿って配列し、連接方向に沿って延び、これらの前記端子の前記連接端がそれぞれこれらの前記端子貫通孔を挿通し、前記舌状板部に端子離間具が複数設けられ、これらの前記端子離間具は、前記配列方向に沿って配列し、前記連接方向に沿って前記舌状板部の前記上側と前記前端と前記下側とに設けられ、これらの前記屈折セクションは、隣接する前記端子離間具同士の内部にそれぞれ収容されることを特徴とする、請求項１に記載のコネクタ。
【請求項７】
前記端子固定部にストッパーが設けられ、前記ストッパーが前記端子規制溝に対応し、これにより、前記規制端の前記端子規制溝からの脱出を防止することができることを特徴とする、請求項１に記載のコネクタ。
【請求項８】
前記規制端にフック状構造が設けられ、前記絶縁本体に止め溝が設けられ、前記止め溝が前記端子規制溝と連通し、前記フック状構造が前記止め溝を係り、これにより、前記規制端の前記端子規制溝からの脱出を防止することができることを特徴とする、請求項７に記載のコネクタ。
【請求項９】
前記絶縁本体は複数の係合構造を含み、前記係合構造は、前記端子固定具の側辺と係合するためのものであり、これにより、前記絶縁本体の上側に前記端子固定具を組合うことができることを特徴とする、請求項１に記載のコネクタ。
【考案の詳細な説明】
【技術分野】
【０００１】
本考案は、コネクタに関し、特に、端子が舌状板を覆い端子と舌状板の下側とが弾性空間によって離間されるコネクタに関するものである。
【背景技術】
【０００２】
ノートブック式パーソナルコンピュータにおけるディスプレイとシステムのホストとの間の膨大なデータ量を伝送可能にするために、低圧差動信号（ＬＶＤＳ，Ｌｏｗ  Ｖｏｌｔａｇｅ  Ｄｉｆｆｅｒｅｎｔｉａｌ  Ｓｉｇｎａｌ）を伝送するコネクタを信号伝送インターフェースとすることが多い。
【０００３】
図１を参照する。図１は従来の低圧差動信号を伝送するコネクタの一部の分解斜視図である。コネクタ１は、一つの絶縁本体１０と、複数の端子２０と、を含む。絶縁本体１０は、一つの舌状板１１と、一つの端子固定部１３と、を含み、舌状板１１の上側に端子溝１２が複数設けられる。これらの端子２０は、片状を呈する導電端子であり、その前端が端子溝１２の底部に貼り付けられ、その後端が端子２０の固定具を貫通し、そうすると、信号リードと連接することができる。
【０００４】
これらの端子２０が舌状板１１の上側だけに設けられるため、ドッキングコネクタにコネクタ１を挿入するときには、挿入動作が不適正により端子２０の前端が端子溝１２から離脱する可能性がある。一方、端子２０が絶縁本体１０に貼り付けられるため、ドッキングコネクタのドッキング端子挿入ポートが大きすぎることによってドッキング端子の位置に誤差が発生すると、端子２０とドッキング端子が接触不良になり、信号伝送の品質が降下する。
【考案の概要】
【考案が解決しようとする課題】
【０００５】
本考案の目的は、端子は、屈折セクションを有し、舌状板部の上側と前端と下側とを覆い、弾性空間により舌状板部の下側から離間するコネクタを提供することにある。
【課題を解決するための手段】
【０００６】
本考案のコネクタによると、ドッキングコネクタと連接するためのものであり、前記ドッキングコネクタが複数のドッキング端子を含み、絶縁本体と、端子固定具と、複数の端子と、を含むコネクタにおいて、
前記絶縁本体には、端子規制溝が設けられ、
前記端子固定具は、前記絶縁本体に組合われ、端子固定部と、舌状板部と、を含み、前記舌状板部は、前記端子固定部から延び出し、上側と、前端と、下側と、を有し、
複数の前記端子は、配列方向に沿って配列され、前記各端子には、連接端と、屈折セクションと、規制端と、が順次に設けられ、前記連接端が前記端子固定部に固定され、前記屈折セクションは、前記舌状板部の前記上側と前記前端と前記下側とを覆い、弾性空間により前記舌状板部の前記下側から離間し、前記規制端は、前記端子規制溝を収容し、前記端子規制溝に弾力を加え、
前記ドッキングコネクタに前記コネクタを挿入するときには、前記ドッキング端子が前記端子を押えて前記弾性空間が減少することを特徴とする。
【０００７】
本考案のコネクタによると、前記連接端と前記屈折セクションの間に埋め込み部が設けられ、前記埋め込み部が前記舌状板部の前記上側に埋め込まれることを特徴とする。
【０００８】
本考案のコネクタによると、前記ドッキングコネクタに前記コネクタを挿入するときには、前記ドッキング端子が前記端子を押さえて前記弾性空間が減少し、前記屈折セクションの一部が前記舌状板部の前記下側と接触することを特徴とする。
【０００９】
本考案のコネクタによると、前記屈折セクションと前記規制端の間に突出部が設けられ、前記突出部が前記舌状板部の前記下側へ突出することを特徴とする。
【００１０】
本考案のコネクタによると、前記舌状板の前記下側に溝が設けられ、前記突出部が前記溝に対応し、前記ドッキングコネクタに前記コネクタを挿入するときには、前記ドッキング端子が前記端子を押さえて前記弾性空間が減少し、前記突出部が前記溝に当接することを特徴とする。
【００１１】
本考案のコネクタによると、前記端子固定部は複数の端子貫通孔を含み、これらの前記端子貫通孔は、配列方向に沿って配列し、連接方向に沿って延び、これらの前記端子の前記連接端がそれぞれこれらの前記端子貫通孔を挿通し、前記舌状板部に端子離間具が複数設けられ、これらの前記端子離間具は、前記配列方向に沿って配列し、前記連接方向に沿って前記舌状板部の前記上側と前記前端と前記下側とに設けられ、これらの前記屈折セクションは、隣接する前記端子離間具同士の内部にそれぞれ収容されることを特徴とする。
【００１２】
本考案のコネクタによると、前記端子固定部にストッパーが設けられ、前記ストッパーが前記端子規制溝に対応し、これにより、前記規制端の前記端子規制溝からの脱出を防止することができることを特徴とする。
【００１３】
本考案のコネクタによると、前記規制端にフック状構造が設けられ、前記絶縁本体に止め溝が設けられ、前記止め溝が前記端子規制溝と連通し、前記フック状構造が前記止め溝を係り、これにより、前記規制端の前記端子規制溝からの脱出を防止することができることを特徴とする。
【００１４】
本考案のコネクタによると、前記絶縁本体は複数の係合構造を含み、前記係合構造は、前記端子固定具の側辺と係合するためのものであり、これにより、前記絶縁本体の上側に前記端子固定具を組合うことができることを特徴とする。
【考案の効果】
【００１５】
本考案のコネクタによれば、端子は、屈折セクションを有し、舌状板部の上側と前端と下側とを覆い、従来の技術のように、挿入動作が不適正により端子の前端が端子溝から離脱することがなくなり、弾性空間により端子が舌状板部の下側から離間するため、端子の屈折セクションにおける高さは標準の仕様よりも高くてもよく、ドッキング端子の誤差がより大きくても、端子とドッキング端子の接触が良いため、信号伝送の品質が良くなるという効果を有する。
【図面の簡単な説明】
【００１６】
【図１】従来の低圧差動信号を伝送するコネクタの一部の分解斜視図である。
【図２】本考案のコネクタ組の斜視図である。
【図３】本考案のコネクタの分解斜視図である。
【図４】本考案のコネクタの一部の断面図である。
【図５】本考案のコネクタの一部の組合済み状態の表示図である。
【図６】本考案のドッキングコネクタの分解斜視図である。
【図７】本考案のコネクタ組の断面図である。
【図８】本考案のコネクタ組の断面図である。
【考案を実施するための形態】
【００１７】
以下、本考案の実施の形態を図面に基づいて説明する。
まず、図２を参照する。図２は本考案のコネクタ組２の斜視図である。コネクタ組２は、コネクタ３と、ドッキングコネクタ４と、を含む。コネクタ３は、連接方向Ｄ１に沿ってドッキングコネクタ４に挿入されて、ドッキングコネクタ４と電気的に連接する。
【００１８】
図３及び図４を参照する。図３は本考案のコネクタ３の分解斜視図であり、図４は本考案のコネクタ３の一部の断面図である。コネクタ３は、端子固定具１００と、複数の端子２００と、絶縁本体３００と、第１金属ケース４００と、第２金属ケース５００と、を含む。端子固定具１００は、絶縁本体３００に組合われ、端子固定部１１０と、舌状板部１２０と、を含む。端子固定部１１０は複数の端子貫通孔１１１を含み、これらの端子貫通孔１１１は、配列方向Ｄ２に沿って配列し、連接方向Ｄ１に沿って延びる。端子固定部１１０にストッパー１１２が設けられる。
【００１９】
舌状板部１２０は、端子固定部１１０から延び出し、上側１２１と、前端１２２と、下側１２３と、を有する。舌状板部１２０に端子離間具１２４が複数設けられ、これらの端子離間具１２４は、配列方向Ｄ２に沿って配列し、連接方向Ｄ１に沿って舌状板部１２０の上側１２１と前端１２２と下側１２３とに設けられる。前記舌状板部１２０の下側１２３に溝１２５が設けられ、溝１２５が配列方向Ｄ２に沿って延びる。
【００２０】
これらの端子２００は、屈折され条状を呈する金属構造であり、配列方向Ｄ２に沿って配列し、全体的に言えば、各端子２００が連接方向Ｄ１に沿って延びる。各端子２００には、連接端２１０と、埋め込み部２２０と、屈折セクション２３０と、突出部２４０と、規制端２５０と、が順次に設けられ、埋め込み部２２０が連接端２１０と屈折セクション２３０との間に設けられ、突出部２４０が屈折セクション２３０と規制端２５０の間に設けられる。
【００２１】
連接部は、連接方向Ｄ１に沿って延び、舌状板部１２０の上側１２１に設けられ、連接方向Ｄ１に沿って端子固定部１１０の端子貫通孔１１１を貫通し、そうすると、端子固定部１１０を固定することができる。
【００２２】
埋め込み部２２０は、舌状板部１２０の上側１２１へ屈折し突出する円弧構造であり、舌状板部１２０の上側１２１に埋め込まれ、この技術をよく把握する技術者は、埋め込み成形（ｉｎｓｅｒｔ-ｍｏｌｄｉｎｇ）などの方法により、舌状板部１２０の上側１２１に埋め込み部２２０を埋め込むことができる。
【００２３】
屈折セクション２３０は、舌状板部１２０の上側１２１と前端１２２と下側１２３とを覆い、弾性空間Ｓ１により舌状板部１２０の前端１２２及び下側１２３から離間する。これらの屈折セクション２３０は、隣接する端子離間具１２４同士の間にそれぞれ収容され、これらの端子２００の定位の補助とすることができ、短絡を回避することができる。突出部２４０は、舌状板部１２０の下側１２３へ屈折し突出する円弧構造であり、溝１２５に収容される。
【００２４】
絶縁本体３００は複数の係合構造３１０を含み、係合構造３１０は、端子固定具１００の側辺と係合するためのものであり、これにより、絶縁本体３００の上側に端子固定具１００を組合うことができる。絶縁本体３００の上側３０１のエッジに端子規制溝３２０が複数設けられ、これらの端子規制溝３２０は、配列方向Ｄ２に沿って配列し、その内部に規制ブロック３２１が設けられ、規制ブロック３２１には、端子規制溝３２０と連通する止め溝３２２が設けられる。
【００２５】
端子２００の規制端２５０が端子規制溝３２０に収容され、ストッパー１１２が前記端子規制溝３２０に対応し、これにより、規制端２５０の端子規制溝３２０からの脱出を防止することができる。規制端２５０にフック状構造２５１が設けられ、フック状構造２５１が止め溝３２２を係り、これにより、規制端２５０の端子規制溝３２０からの脱出を防止することができる。
【００２６】
第１金属ケース４００と第２金属ケース５００は、それぞれ端子固定具１００と絶縁本体３００をカバーし、これにより、電磁波を遮断することができる。
【００２７】
図５を参照する。図５は本考案のコネクタ３の一部の組合済み状態の表示図である。実際に、端子固定具１００が絶縁本体３００に組合っていないときには、端子２００が端子固定具１００に固定され、端子２００の屈折セクション２３０の開角がより大きいため、絶縁本体３００に端子固定具１００を組合った後、規制端２５０が端子規制溝３２０内にある規制ブロック３２１を収容し、且つ規制端２５０が規制ブロック３２１に弾力を加える。このとき、フック状構造２５１が止め溝３２２と係合し、ストッパー１１２と規制ブロック３２１とにより、規制端２５０の端子規制溝３２０からの脱出を防止することができる。
【００２８】
図６を参照する。図６は本考案のドッキングコネクタ４の分解斜視図である。ドッキングコネクタ４は、ドッキング絶縁本体６００と、複数のドッキング端子７００と、ドッキング金属ケース８００と、を含む。ドッキング絶縁本体６００の前側に連接溝６１０が設けられる。これらのドッキング端子７００は、配列方向Ｄ２に沿って配列し、Ｕ字形構造でもよい。前記Ｕ字形構造の末端には、対向する二つの係合部７１０が設けられ、二つの係合部７１０は内側へ突出する屈折構造である。これらのドッキング端子７００は、ドッキング絶縁本体６００の後側からドッキング絶縁本体６００に挿入され、連接溝６１０から露呈する。ドッキング金属ケース８００は絶縁本体３００をカバーし、これにより、電磁波を遮断することができる。
【００２９】
図７を参照する。図７は本考案のコネクタ組２の断面図である。図７に示すように、コネクタ３とドッキングコネクタ４が分離状態にある。このとき、弾性空間Ｓ１により屈折セクション２３０が舌状板部１２０の下側１２３から離間する。
【００３０】
図８を参照する。コネクタ３が連接方向Ｄ１に沿ってドッキングコネクタ４に挿入するときには、ドッキング端子７００の二つの係合部７１０が端子２００の突出部２４０と埋め込み部２２０とを押えて弾性空間Ｓ１が減少し、このとき、屈折セクション２３０が更に屈折し、屈折セクション２３０の開角が減少し、ひいては屈折セクション２３０の一部が舌状板部１２０の下側１２３及び/又は突出部２４０が溝１２５に当接し、一方、屈折セクション２３０をやや上昇してもよく、そうすると、屈折セクション２３０と舌状板部１２０の上側１２１とから補助弾性空間Ｓ２が形成される。これにより、二つの係合部７１０の距離がより大きくても、端子２００とドッキング端子７００の接触が良く保持される。
【００３１】
上記の説明から明らかなように、本考案の端子は、屈折セクションを有し、舌状板部の上側と前端と下側とを覆い、従来の技術のように、挿入動作が不適正により端子の前端が端子溝から離脱することがなくなり、弾性空間により端子が舌状板部の下側から離間するため、端子の屈折セクションにおける高さは標準の仕様よりも高くてもよく、ドッキング端子の誤差がより大きくても、端子とドッキング端子の接触が良いため、信号伝送の品質が良くなる。
【００３２】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００３３】
本考案は、コネクタに適用することができる。
【符号の説明】
【００３４】
１    コネクタ
２    コネクタ組
３    コネクタ
４    ドッキングコネクタ
１０    絶縁本体
１１    舌状板
１２    端子溝
１３    端子固定部
２０    端子
１００    端子固定具
１１０    端子固定部
１１１    端子貫通孔
１１２    ストッパー
１２０    舌状板部
１２１    上側
１２２    前端
１２３    下側
１２４    端子離間具
１２５    溝
２００    端子
２１０    連接端
２２０    埋め込み部
２３０    屈折セクション
２４０    突出部
２５０    規制端
２５１    フック状構造
３００    絶縁本体
３０１    上側
３１０    係合構造
３２０    端子規制溝
３２１    規制ブロック
３２２    止め溝
４００    第１金属ケース
５００    第２金属ケース
６００    ドッキング絶縁本体
６１０    連接溝
７００    ドッキング端子
７１０    係合部
８００    ドッキング金属ケース
Ｄ１    連接方向
Ｄ２    配列方向
Ｓ１    弾性空間
Ｓ２    補助弾性空間
【図１】
0003162802.tif 000003
【図２】
0003162802.tif 000004
【図３】
0003162802.tif 000005
【図４】
0003162802.tif 000006
【図５】
0003162802.tif 000007
【図６】
0003162802.tif 000008
【図７】
0003162802.tif 000009
【図８】
0003162802.tif 000010